(57)【要約】  画像の生成者または編集者の意図を反映した画像を表示装置に表示できるようにする編集方法を提供する。編集方法は、同一シーンを示す静止画である高品位画像および第１低品位画像と、高品位画像および第１低品位画像のうちの少なくとも一方の画像の編集を許可するか否かを示す編集管理情報とを取得する取得ステップと、編集管理情報により当該少なくとも一方の画像の編集を許可することが示されている場合は、当該少なくとも一方の画像を編集する編集ステップと、を含み、編集管理情報により当該少なくとも一方の画像の編集を許可しないことが示されている場合は、当該少なくとも一方の画像を編集しない。
2018062061.tif 000002
【特許請求の範囲】
【請求項１】
同一シーンを示す静止画である高品位画像および第１低品位画像と、前記高品位画像および前記第１低品位画像のうちの少なくとも一方の画像の編集を許可するか否かを示す編集管理情報とを取得する取得ステップと、
前記編集管理情報により前記少なくとも一方の画像の編集を許可することが示されている場合は、前記少なくとも一方の画像を編集する編集ステップと、を含み、
前記編集管理情報により前記少なくとも一方の画像の編集を許可しないことが示されている場合は、前記少なくとも一方の画像を編集しない、
編集方法。
【請求項２】
前記編集管理情報は、前記編集として前記高品位画像から第２低品位画像を生成することを許可するか否かを示し、
前記編集ステップでは、前記編集管理情報により前記第２低品位画像の生成を許可することが示されている場合は、前記高品位画像から前記第２低品位画像を生成する、
請求項１記載の編集方法。
【請求項３】
ＲＡＷデータを取得する取得ステップと、
前記ＲＡＷデータから、同一シーンを示す静止画である高品位画像および第１低品位画像を生成する画像生成ステップと、
前記高品位画像および前記第１低品位画像のうちの少なくとも一方の画像の編集を許可するか否かを示す編集管理情報を生成する生成ステップと、
前記高品位画像と前記第１低品位画像と前記編集管理情報とを出力する出力ステップと、を含む、
生成方法。
【請求項４】
前記編集管理情報は、前記編集として前記高品位画像から第２低品位画像を生成することを許可するか否かを示す、
請求項３記載の生成方法。
【請求項５】
同一シーンを示す静止画である高品位画像および第１低品位画像と、前記高品位画像および前記第１低品位画像のうちの少なくとも一方の画像の編集を許可するか否かを示す編集管理情報とを取得する取得部と、
前記編集管理情報により前記少なくとも一方の画像の編集を許可することが示されている場合は、前記少なくとも一方の画像を編集する編集部と、を備え、
前記編集管理情報により前記少なくとも一方の画像の編集を許可しないことが示されている場合は、前記少なくとも一方の画像を編集しない、
編集装置。
【請求項６】
ＲＡＷデータを取得する取得部と、
前記ＲＡＷデータから、同一シーンを示す静止画である高品位画像および第１低品位画像を生成する画像生成部と、
前記高品位画像および前記第１低品位画像のうちの少なくとも一方の画像の編集を許可するか否かを示す編集管理情報を生成する生成部と、
前記高品位画像と前記第１低品位画像と前記編集管理情報とを出力する出力部と、を備える、
生成装置。
【請求項７】
同一シーンを示す静止画である高品位画像および第１低品位画像と、
前記高品位画像および前記第１低品位画像のうちの少なくとも一方の画像の編集を許可するか否かを示す編集管理情報と、が記録されている、
記録媒体。
【発明の詳細な説明】
【技術分野】
【０００１】
本開示は、編集方法、生成方法、編集装置、生成装置、および記録媒体に関する。
【背景技術】
【０００２】
特許文献１は、静止画を蓄積する技術を開示する。【０００３】
例えばデジタルカメラ等の撮影装置の画素数は年々増加しており、近年では画素数が６００万を超える撮影装置や、画素数が１０００万を超える撮影装置もある。一方、動画を表示するテレビジョン受信機（以下、「テレビ」と記す）等の表示装置の解像度は、Ｓｔａｎｄａｒｄ  Ｄｅｆｉｎｉｔｉｏｎ（ＳＤ）の７２０×４８０画素（約３４万画素）から、Ｈｉｇｈ  Ｄｅｆｉｎｉｔｉｏｎ（ＨＤ）の１９２０×１０８０画素（約２００万画素、２Ｋ画像）、Ｕｌｔｒａ  Ｈｉｇｈ  Ｄｅｆｉｎｉｔｉｏｎ（ＵＨＤ）の３８４０×２１６０画素（約８３０万画素、４Ｋ画像）、４０９６×２１６０画素（約８８５万画素、ＤＣＩ４Ｋ）、さらに、７６８０×４３２０画素（約３３１８万画素、８Ｋ画像）と増加している。このように、表示装置の高画質化が進んでいる。【０００４】
このような表示装置（例えば、テレビ）の高画質化により、撮影装置（例えば、デジタルカメラ）で撮影された写真（静止画）を表示装置（例えば、テレビ）で表示する機会が増えてきている。【０００５】
また、表示装置（例えば、テレビ）に関しては、４Ｋ画像の表示技術と共に、ダイナミックレンジ拡張技術も提案されている。具体的には、暗部階調を維持しつつ、現行のテレビ信号では表現が困難な鏡面反射光等の明るい光を、より現実に近い明るさで表現するための方式として、ＨＤＲ（Ｈｉｇｈ  Ｄｙｎａｍｉｃ  Ｒａｎｇｅ）技術（以下、「ＨＤＲ」と記す）が提案されている。
【先行技術文献】
【特許文献】
【０００６】
【特許文献１】特開２０００−３５４２２７号公報
【発明の概要】
【０００７】
このような技術が用いられた場合は、画像の生成者または編集者の意図を反映した画像が表示されることが望まれている。
【０００８】
本開示は、画像の生成者または編集者の意図を反映した画像を表示できる編集方法、生成方法、編集装置、生成装置、または記録媒体を提供する。
【０００９】
本開示の一態様に係る編集方法は、同一シーンを示す静止画である高品位画像および第１低品位画像と、前記高品位画像および前記第１低品位画像のうちの少なくとも一方の画像の編集を許可するか否かを示す編集管理情報とを取得する取得ステップと、前記編集管理情報により前記少なくとも一方の画像の編集を許可することが示されている場合は、前記少なくとも一方の画像を編集する編集ステップと、を含み、前記編集管理情報により前記少なくとも一方の画像の編集を許可しないことが示されている場合は、前記少なくとも一方の画像を編集しない。
【００１０】
本開示の一態様に係る生成方法は、ＲＡＷデータを取得する取得ステップと、前記ＲＡＷデータから、同一シーンを示す静止画である高品位画像および第１低品位画像を生成する画像生成ステップと、前記高品位画像および前記第１低品位画像のうちの少なくとも一方の画像の編集を許可するか否かを示す編集管理情報を生成する生成ステップと、前記高品位画像と前記第１低品位画像と前記編集管理情報とを出力する出力ステップと、を含む。
【００１１】
本開示の一態様に係る記録媒体は、同一シーンを示す静止画である高品位画像および第１低品位画像と、前記高品位画像および前記第１低品位画像のうちの少なくとも一方の画像の編集を許可するか否かを示す編集管理情報と、が記録されている。
【００１２】
本開示は、画像の生成者または編集者の意図を反映した画像を表示できる編集方法、生成方法、編集装置、生成装置、または記録媒体を提供できる。
【図面の簡単な説明】
【００１３】
【図１Ａ】図１Ａは、実施の形態１における再生システムの構成の一例を模式的に示す図である。
【図１Ｂ】図１Ｂは、実施の形態１における再生システムの構成の一例を模式的に示す図である。
【図２Ａ】図２Ａは、実施の形態１における画像データの構成の一例を模式的に示す図である。
【図２Ｂ】図２Ｂは、実施の形態１における画像データの構成の他の一例を模式的に示す図である。
【図３】図３は、実施の形態１における生成装置の構成の一例を模式的に示すブロック図である。
【図４】図４は、実施の形態１における再生装置の構成の一例を模式的に示すブロック図である。
【図５】図５は、実施の形態１における編集装置による編集処理の一例を示すフローチャートである。
【図６】図６は、実施の形態１における再生装置による再生処理の一例を示すフローチャートである。
【図７】図７は、実施の形態１における編集管理情報の構成の一例を模式的に示す図である。
【図８】図８は、他の実施の形態における画像データの構成の一例を模式的に示す図である。
【図９】図９は、他の実施の形態における再生装置によるデータ保存処理の一例を示すフローチャートである。
【図１０】図１０は、実施の形態における生成装置による画像データ生成処理の一例を示すフローチャートである。
【発明を実施するための形態】
【００１４】
本開示の一態様に係る編集方法は、同一シーンを示す静止画である高品位画像および第１低品位画像と、前記高品位画像および前記第１低品位画像のうちの少なくとも一方の画像の編集を許可するか否かを示す編集管理情報とを取得する取得ステップと、前記編集管理情報により前記少なくとも一方の画像の編集を許可することが示されている場合は、前記少なくとも一方の画像を編集する編集ステップと、を含み、前記編集管理情報により前記少なくとも一方の画像の編集を許可しないことが示されている場合は、前記少なくとも一方の画像を編集しない。
【００１５】
この編集方法によれば、編集管理情報により、編集装置において、当該少なくとも一方の画像の編集の可否を制御できる。これにより、編集管理情報に基づく画像をテレビ等の表示装置で表示することが可能となる。すなわち、画像の生成者または編集者の意図を反映した画像を表示装置に表示できる。
【００１６】
例えば、前記編集方法において、前記編集管理情報は、前記編集として前記高品位画像から第２低品位画像を生成することを許可するか否かを示してもよい。前記編集ステップでは、前記編集管理情報により前記第２低品位画像の生成を許可することが示されている場合は、前記高品位画像から前記第２低品位画像を生成してもよい。
【００１７】
この編集方法によれば、編集管理情報により、編集装置において高品位画像から第２低品位画像を生成することの可否を制御できる。
【００１８】
本開示の一態様に係る生成方法は、ＲＡＷデータを取得する取得ステップと、前記ＲＡＷデータから、同一シーンを示す静止画である高品位画像および第１低品位画像を生成する画像生成ステップと、前記高品位画像および前記第１低品位画像のうちの少なくとも一方の画像の編集を許可するか否かを示す編集管理情報を生成する生成ステップと、前記高品位画像と前記第１低品位画像と前記編集管理情報とを出力する出力ステップと、を含む。
【００１９】
この生成方法によれば、編集管理情報により、編集装置において、当該少なくとも一方の画像の編集の可否を制御できる。これにより、編集管理情報に基づく画像をテレビ等の表示装置で表示することが可能となる。すなわち、画像の生成者または編集者の意図を反映した画像を表示装置に表示できる。
【００２０】
例えば、前記生成方法において、前記編集管理情報は、前記編集として前記高品位画像から第２低品位画像を生成することを許可するか否かを示してもよい。
【００２１】
この生成方法によれば、編集管理情報により、編集装置において高品位画像から第２低品位画像を生成することの可否を制御できる。
【００２２】
本開示の一態様に係る編集装置は、同一シーンを示す静止画である高品位画像および第１低品位画像と、前記高品位画像および前記第１低品位画像のうちの少なくとも一方の画像の編集を許可するか否かを示す編集管理情報とを取得する取得部と、前記編集管理情報により前記少なくとも一方の画像の編集を許可することが示されている場合は、前記少なくとも一方の画像を編集する編集部と、を備え、前記編集管理情報により前記少なくとも一方の画像の編集を許可しないことが示されている場合は、前記少なくとも一方の画像を編集しない。
【００２３】
この編集装置によれば、編集管理情報により、編集装置において、当該少なくとも一方の画像の編集の可否を制御できる。これにより、編集管理情報に基づく画像をテレビ等の表示装置で表示することが可能となる。すなわち、画像の生成者または編集者の意図を反映した画像を表示装置に表示できる。
【００２４】
本開示の一態様に係る生成装置は、ＲＡＷデータを取得する取得部と、前記ＲＡＷデータから、同一シーンを示す静止画である高品位画像および第１低品位画像を生成する画像生成部と、前記高品位画像および前記第１低品位画像のうちの少なくとも一方の画像の編集を許可するか否かを示す編集管理情報を生成する生成部と、前記高品位画像と前記第１低品位画像と前記編集管理情報とを出力する出力部と、を備える。
【００２５】
この生成装置によれば、編集管理情報により、編集装置において、当該少なくとも一方の画像の編集の可否を制御できる。これにより、編集管理情報に基づく画像をテレビ等の表示装置で表示することが可能となる。すなわち、画像の生成者または編集者の意図を反映した画像を表示装置に表示できる。
【００２６】
本開示の一態様に係る記録媒体は、同一シーンを示す静止画である高品位画像および第１低品位画像と、前記高品位画像および前記第１低品位画像のうちの少なくとも一方の画像の編集を許可するか否かを示す編集管理情報と、が記録されている。
【００２７】
この記録媒体に記録された編集管理情報により、編集装置において、当該記録媒体に記録された高品位画像および第１低品位画像のうちの少なくとも一方の画像の編集の可否を制御できる。これにより、編集管理情報に基づく画像をテレビ等の表示装置で表示することが可能となる。すなわち、画像の生成者または編集者の意図を反映した画像を表示装置に表示できる。
【００２８】
なお、これらの包括的または具体的な態様は、システム、方法、集積回路、コンピュータプログラムまたはコンピュータ読み取り可能なＣＤ−ＲＯＭ（Ｃｏｍｐａｃｔ  Ｄｉｓｃ  Ｒｅａｄ  Ｏｎｌｙ  Ｍｅｍｏｒｙ）などの記録媒体で実現されてもよく、システム、方法、集積回路、コンピュータプログラムおよび記録媒体の任意な組み合わせで実現されてもよい。
【００２９】
以下、実施の形態について、図面を参照しながら具体的に説明する。ただし、必要以上に詳細な説明は省略する場合がある。例えば、すでによく知られた事項の詳細説明、および実質的に同一の構成に対する重複説明等を省略する場合がある。これは、以下の説明が不必要に冗長になるのを避け、当業者の理解を容易にするためである。
【００３０】
なお、添付図面および以下で説明する実施の形態は、当業者が本開示を十分に理解するために提供されるのであって、いずれも本開示の一具体例を示すものである。以下の実施の形態で示される数値、形状、材料、構成要素、構成要素の配置位置および接続形態、ステップ、ステップの順序などは、一例であり、これらにより特許請求の範囲に記載の主題を限定することは意図されていない。また、以下の実施の形態における構成要素のうち、最上位概念を示す独立請求項に記載されていない構成要素については、任意の構成要素として説明される。
【００３１】
また、各図は、必ずしも厳密に図示されたものではなく、本開示をわかりやすく示すために適宜省略等を行った模式図である。また、各図において、実質的に同じ構成要素については同じ符号を付し、説明を省略または簡略化する場合がある。
【００３２】
（１．実施の形態１）
（１−１．構成）
まず、本実施の形態に係る再生システムの構成を説明する。
【００３３】
図１Ａおよび図１Ｂは、実施の形態１における再生システムの構成の一例を模式的に示す図である。
【００３４】
再生システムは、生成装置１０１と、再生装置１０３と、表示装置１０４と、を備えている。なお、本実施の形態では、便宜的に、再生システムを、生成装置１０１側の再生システム１００Ａと、再生装置１０３側の再生システム１００Ｂと、に分けて説明する。
【００３５】
なお、図１Ａには、再生システムのうち、画像データ１１１を生成して記録媒体１０２に記録する生成装置１０１を備えた生成装置１０１側の再生システム１００Ａを概略的に示す。図１Ｂには、再生システムのうち、記録媒体１０２に記録された画像データ１１１を表示するための再生装置１０３と表示装置１０４とを備えた再生装置１０３側の再生システム１００Ｂを概略的に示す。
【００３６】
図１Ａに示す生成装置１０１は、デジタルビデオカメラ、デジタルスチルカメラ、またはスマートフォン等の撮影装置である。生成装置１０１は、撮影を行うことで、静止画である画像データ１１１を生成する。なお、生成装置１０１は、撮影装置等で生成された画像データを編集する編集装置であってもよい。
【００３７】
図１Ａに例示するように、生成装置１０１は、生成した画像データ１１１を、ＣＦ（コンパクトフラッシュ（登録商標））カード、ＵＳＢ（Ｕｎｉｖｅｒｓａｌ  Ｓｅｒｉａｌ  Ｂｕｓ）メモリ、またはＳＤ（Ｓｅｃｕｒｅ  Ｄｉｇｉｔａｌ）メモリカード等の記録媒体１０２に記録する。画像データ１１１を記録した記録媒体１０２が、生成装置１０１から取り外されて他の装置（例えば、再生装置１０３）に接続されることで、画像データ１１１をその装置（例えば、再生装置１０３）に伝送することが可能である。
【００３８】
なお、上述した画像データ１１１の伝送方法は、本実施の形態における一例である。本開示において、画像データ１１１の伝送方法は、記録媒体１０２を介した伝送に限定されない。例えば、光ディスクまたは磁気ディスク等の記録媒体を介して画像データ１１１が伝送さてもよい。例えば、画像データ１１１の一部または全てが、有線通信または無線通信により、生成装置１０１から他の装置（例えば、再生装置１０３）に伝送されてもよい。また、画像データ１１１は、生成装置１０１から他の装置（例えば、再生装置１０３）に直接的に伝送されなくてもよい。例えば、画像データ１１１の一部または全てが、生成装置１０１から、さらに他の機器（例えば、ルータ、サーバ、等）を介して、他の装置（例えば、再生装置１０３）に伝送されてもよい。
【００３９】
図１Ｂに示す再生装置１０３は、ブルーレイ（登録商標）レコーダ、またはブルーレイ（登録商標）プレーヤー等の再生装置である。再生装置１０３は、画像データ１１１を再生して得られた画像を表示装置１０４に表示する。表示装置１０４は、例えば、液晶ディスプレイ装置、または有機ＥＬ（Ｅｌｅｃｔｒｏ  Ｌｕｍｉｎｅｓｃｅｎｃｅ）ディスプレイ装置、等である。また、再生装置１０３は、編集装置１０５を含む。編集装置１０５は、画像データ１１１を編集する機能を有する。
【００４０】
図２Ａは、実施の形態１における画像データ１１１の構成の一例を模式的に示す図である。
【００４１】
図２Ｂは、実施の形態１における画像データ１１１の構成の他の一例を模式的に示す図である。
【００４２】
なお、図２Ａには、画像データ１１１が１つの記録媒体１０２に記録されている例を示し、図２Ｂには、画像データ１１１が画像データ１１１Ａおよび画像データ１１１Ｂに分割されて２つの記録媒体１０２Ａおよび記録媒体１０２Ｂに記録されている例を示す。
【００４３】
図２Ａに示すように、画像データ１１１は、ＨＤＲ画像１１２と、ＳＤＲ（Ｓｔａｎｄａｒｄ  Ｄｙｎａｍｉｃ  Ｒａｎｇｅ）画像１１３と、編集管理情報１１４と、を含む。あるいは、図２Ｂに示すように、画像データ１１１Ａは、ＨＤＲ画像１１２と、編集管理情報１１４と、を含み、画像データ１１１Ｂは、ＳＤＲ画像１１３を含む。
【００４４】
ＨＤＲ画像１１２は、ＨＤＲに対応した静止画の画像データ（ＨＤＲ画像データ）であり、ヘッダ１１２Ａが付与されている。ＳＤＲ画像１１３は、ＳＤＲに対応した静止画の画像データ（ＳＤＲ画像データ）であり、ヘッダ１１３Ａが付与されている。また、ＨＤＲ画像１１２の輝度範囲（ダイナミックレンジ）はＳＤＲ画像１１３の輝度範囲（ダイナミックレンジ）より広い。具体的には、ＨＤＲ画像１１２の最高輝度は、ＳＤＲ画像１１３の最高輝度よりも高い。
【００４５】
編集管理情報１１４は、ＨＤＲ画像１１２およびＳＤＲ画像１１３の少なくとも一方の編集を許可するか否かを示す情報である。編集管理情報１１４には、ＨＤＲ画像１１２の編集を許可するか否かを示す情報が含まれてもよい。編集管理情報１１４には、ＳＤＲ画像１１３の編集を許可するか否かを示す情報が含まれてもよい。編集管理情報１１４には、ＨＤＲ画像１１２およびＳＤＲ画像１１３のいずれの編集も許可する情報が含まれてもよい。編集管理情報１１４には、ＨＤＲ画像１１２およびＳＤＲ画像１１３のいずれの編集も許可しない情報が含まれてもよい。本実施の形態では、編集とは、ＨＤＲ画像１１２およびＳＤＲ画像１１３の少なくとも一方の、削除、変換、または変更（差し替え）を意味する。また、変更には、例えば、トリミングが含まれていてもよく、あるいは、色範囲、色特性、輝度範囲（ダイナミックレンジ）、輝度特性、解像度および画角等のうちの少なくとも１つの変更が含まれていてもよい。
【００４６】
なお、図２Ａには、編集管理情報１１４を、ヘッダ１１２Ａおよびヘッダ１１３Ａとは個別の情報として示しているが、編集管理情報１１４は、ヘッダ１１２Ａまたはヘッダ１１３Ａに含まれていてもよい。
【００４７】
また、図２Ａには、ＨＤＲ画像１１２とＳＤＲ画像１１３と編集管理情報１１４とが１つの画像データ１１１として記録媒体１０２に記録される例を示しているが、ＨＤＲ画像１１２とＳＤＲ画像１１３と編集管理情報１１４とのうちの少なくとも一部が個別のデータとして他の記録媒体１０２に記録されてもよい。
【００４８】
なお、図２Ｂには、ＨＤＲ画像１１２と編集管理情報１１４とを含む画像データ１１１Ａを１つの記録媒体１０２Ａに記録し、ＳＤＲ画像１１３を含む画像データ１１１Ｂを他の１つの記録媒体１０２Ｂに記録した例を示している。
【００４９】
次に、生成装置１０１の構成を説明する。
【００５０】
図３は、実施の形態１における生成装置１０１の構成の一例を模式的に示すブロック図である。
【００５１】
図３に例示するように、生成装置１０１は、ＲＡＷ画像取得部１２１と、ＨＤＲ画像生成部１２２と、ＳＤＲ画像生成部１２３と、出力部１２４と、編集管理部１２５と、を備える。
【００５２】
なお、図３に示す構成要素は、生成装置１０１が備える構成要素の一部である。図３では、例えば電源回路等の他の構成要素の図示を省略している。
【００５３】
ＲＡＷ画像取得部１２１は、例えば、撮像部である。ＲＡＷ画像取得部１２１は、静止画撮影を行うことにより、静止画のＲＡＷデータ１３１を取得（生成）する。
【００５４】
ＨＤＲ画像生成部１２２は、ＲＡＷデータ１３１に色補正（グレーディング）等を行うことで、ＨＤＲ画像１１２を生成する。例えば、ＨＤＲ画像生成部１２２は、ＨＤＲ−ＥＯＴＦ（Ｅｌｅｃｔｒｏ  Ｏｐｔｉｃａｌ  Ｔｒａｎｓｆｅｒ  Ｆｕｎｃｔｉｏｎ）を用いて、ＲＡＷデータ１３１から１０ビットのＨＤＲ画像１１２を生成する。
【００５５】
ＳＤＲ画像生成部１２３は、ＲＡＷデータ１３１からＳＤＲ画像１１３を生成する。例えば、ＳＤＲ画像生成部１２３は、ＳＤＲ−ＥＯＴＦを用いて、ＲＡＷデータ１３１から８ビットのＳＤＲ画像１１３を生成する。
【００５６】
なお、上述したＨＤＲ画像１１２およびＳＤＲ画像１１３のビット数は単なる一例であり、本開示においてＨＤＲ画像１１２およびＳＤＲ画像１１３のビット数は、何ら上述したビット数に限定されない。
【００５７】
編集管理部１２５は、編集管理情報１１４を生成する。生成装置１０１は、ユーザ操作を受け付ける操作受付部（図示せず）を備えていてもよい。そして、編集管理部１２５は、例えば、その操作受付部を通して受け付けられたユーザ操作に基づき、編集管理情報１１４を生成してもよい。ユーザ操作には、画像の生成者の意図が反映されていてもよい。操作受付部は、例えば、タッチパネルまたはスイッチ等であってもよく、リモートコントローラやスマートフォン等から送信されてくる信号を受信する装置であってもよく、または、コンピュータ等からネットワークを通して送信されてくる信号を受信する装置であってもよい。ユーザ操作により、ＨＤＲ画像１１２の編集を許可するか否か、ＳＤＲ画像１１３の編集を許可するか否か、ＨＤＲ画像１１２およびＳＤＲ画像１１３のいずれの編集も許可するか否か、ＨＤＲ画像１１２およびＳＤＲ画像１１３のいずれの編集も禁止するか否か、のいずれかが設定されてもよい。例えば、ＨＤＲ画像１１２から変換ＳＤＲ画像１３２（図４参照）を生成する変換を許可するか否かが、ユーザ操作により設定されてもよい。編集管理情報１１４については後述する。
【００５８】
出力部１２４は、ＨＤＲ画像１１２とＳＤＲ画像１１３と編集管理情報１１４とを含む画像データ１１１を出力する。そして、出力部１２４は、画像データ１１１を、１つの記録媒体１０２に記録する。または、出力部１２４は、画像データ１１１を複数の画像データ（例えば、画像データ１１１Ａおよび画像データ１１１Ｂ）に分割し、それらを複数の記録媒体１０２（例えば、記録媒体１０２Ａおよび記録媒体１０２Ｂ）のそれぞれに記録してもよい。
【００５９】
なお、出力部１２４は、ＨＤＲ画像１１２、ＳＤＲ画像１１３、および編集管理情報１１４を、個別のデータとして出力してもよい。また、出力部１２４は、ＨＤＲ画像１１２、ＳＤＲ画像１１３、および編集管理情報１１４の各々を、所定の画像フォーマットに変換してもよく、所定の画像フォーマットに従いパッケージ化してもよい。また、出力部１２４は、ＨＤＲ画像１１２、ＳＤＲ画像１１３、および編集管理情報１１４の各々、または、画像データ１１１を、圧縮符号化してもよい。また、出力部１２４は、ＲＡＷデータ１３１をそのまま出力してもよい。
【００６０】
次に、再生装置１０３の構成を説明する。
【００６１】
図４は、実施の形態１における再生装置１０３の構成の一例を模式的に示すブロック図である。
【００６２】
図４に例示するように、再生装置１０３は、編集装置１０５と、再生部１４４と、を備える。編集装置１０５は、取得部１４１と、判定部１４２と、編集部１４３と、を備える。
【００６３】
なお、図４に示す構成要素は、再生装置１０３が備える構成要素の一部である。図４では、例えば電源回路等の他の構成要素の図示を省略している。
【００６４】
なお、図４には、再生装置１０３に画像データ１１１を提供する記録媒体１０２と、画像データ１１１が再生装置１０３で再生されて得られた画像信号を表示する表示装置１０４と、をあわせて示している。
【００６５】
なお、図４には、再生装置１０３に画像データ１１１Ａを提供する記録媒体１０２Ａ、および再生装置１０３に画像データ１１１Ｂを提供する記録媒体１０２Ｂを示しているが、１つの記録媒体１０２から再生装置１０３に画像データ１１１が提供されてもよい。
【００６６】
なお、本実施の形態では、記録媒体１０２Ａおよび記録媒体１０２Ｂを総称して記録媒体１０２と呼び、画像データ１１１Ａおよび画像データ１１１Ｂを総称して画像データ１１１と呼ぶ。すなわち、本実施の形態では、記録媒体１０２は、単体の記録媒体１０２でもよく、記録媒体１０２Ａおよび記録媒体１０２Ｂであってもよい。また、画像データ１１１は、単体の画像データ１１１でもよく、画像データ１１１Ａおよび画像データ１１１Ｂであってもよい。
【００６７】
取得部１４１は、記録媒体１０２から画像データ１１１を取得する。
【００６８】
判定部１４２は、編集管理情報１１４（図２Ａまたは図２Ｂ参照）に基づき、画像データ１１１の編集を行うか否かを判定する。
【００６９】
編集部１４３は、編集管理情報１１４に基づきＨＤＲ画像１１２またはＳＤＲ画像１１３を編集する。編集部１４３は、例えば、編集管理情報１１４に基づきＨＤＲ画像１１２から変換ＳＤＲ画像１３２を生成する。
【００７０】
再生部１４４は、ＨＤＲ画像１１２、ＳＤＲ画像１１３、および変換ＳＤＲ画像１３２、のいずれかを再生する。
【００７１】
なお、再生装置１０３は、ユーザ操作を受け付ける操作受付部（図示せず）を備えていてもよい。編集部１４３および再生部１４４は、その操作受付部を通して受け付けられたユーザ操作に基づく画像を再生（または、生成および再生）してもよい。ユーザ操作には、画像の編集者の意図が反映されていてもよい。
【００７２】
（１−２．動作）
次に、編集装置１０５の動作を説明する。
【００７３】
図５は、実施の形態１における編集装置１０５による編集動作の一例を示すフローチャートである。
【００７４】
取得部１４１は、ＨＤＲ画像１１２とＳＤＲ画像１１３と編集管理情報１１４とを含む画像データ１１１を取得する（ステップＳ１０１）。
【００７５】
次に、判定部１４２は、ステップＳ１０１で取得された編集管理情報１１４に基づき、ＨＤＲ画像１１２およびＳＤＲ画像１１３の少なくとも一方の編集が許可されているか否かを判定する（ステップＳ１０２）。
【００７６】
ステップＳ１０２において、編集管理情報１１４によりＨＤＲ画像１１２またはＳＤＲ画像１１３またはその両方の編集を許可することが示されていると判定部１４２が判定した場合（ステップＳ１０２でＹｅｓ）、編集部１４３は、編集管理情報１１４に基づき、編集が許可されている画像（ＨＤＲ画像１１２またはＳＤＲ画像１１３またはその両方）を編集する（ステップＳ１０３）。
【００７７】
ステップＳ１０２において、編集管理情報１１４によりＨＤＲ画像１１２およびＳＤＲ画像１１３のいずれの編集も許可しないことが示されていると判定部１４２が判定した場合（ステップＳ１０２でＮｏ）、編集部１４３は、ＨＤＲ画像１１２およびＳＤＲ画像１１３のどちらも編集しない（ステップＳ１０４）。
【００７８】
次に、編集装置１０５を含む再生装置１０３による再生処理の例を説明する。
【００７９】
図６は、実施の形態１における再生装置１０３による再生動作の一例を示すフローチャートである。
【００８０】
なお、図６のフローチャートでは、ＨＤＲ画像１１２、ＳＤＲ画像１１３、および変換ＳＤＲ画像１３２のいずれかが表示装置１０４で表示されるときの動作例を説明する。
【００８１】
再生装置１０３の判定部１４２は、表示装置１０４がＨＤＲ画像１１２を表示可能か否か、を判定する（ステップＳ１１１）。すなわち、判定部１４２は、ステップＳ１１１において、表示装置１０４がＨＤＲ画像１１２の表示に対応しているか否か（ＨＤＲ画像１１２の表示機能を有するか否か）を判定する。判定部１４２は、例えば、表示装置１０４から、表示装置１０４がＨＤＲ画像１１２を表示可能であることを示す信号（図４に破線で示す）を受信した場合は、表示装置１０４はＨＤＲ画像１１２を表示可能である、と判断する。判定部１４２は、例えば、表示装置１０４から、表示装置１０４がＨＤＲ画像１１２を表示可能であることを示す信号を受信できない場合、または、表示装置１０４がＨＤＲ画像１１２を表示できない（ＳＤＲ画像１１３だけに対応している）ことを示す信号を受信した場合は、表示装置１０４はＨＤＲ画像１１２を表示できない、と判断する。あるいは、再生装置１０３を使用するユーザにより、再生装置１０３に、表示装置１０４がＨＤＲ画像１１２を表示可能か否かの設定がなされてもよい。
【００８２】
ステップＳ１１１において、表示装置１０４はＨＤＲ画像１１２を表示可能である、と判定部１４２が判定した場合（ステップＳ１１１でＹｅｓ）、再生部１４４は、ＨＤＲ画像１１２を再生する（ステップＳ１１２）。
【００８３】
ステップＳ１１１において、表示装置１０４はＨＤＲ画像１１２を表示可能でない、と判定部１４２が判定した場合（ステップＳ１１１でＮｏ）（言い換えると、表示装置１０４がＳＤＲ画像１１３の表示にのみ対応している場合）、判定部１４２は、編集管理情報１１４に基づき、ＨＤＲ画像１１２から変換ＳＤＲ画像１３２を生成する変換が許可されているか否かを判定する（ステップＳ１１３）。
【００８４】
図示していないが、判定部１４２は、ステップＳ１１３において、編集管理情報１１４によりＳＤＲ画像１１３の編集を許可することが示されているか否かの判定も行う。判定部１４２は、編集管理情報１１４によりＳＤＲ画像１１３の編集を許可することが示されていると判定した場合は、ＳＤＲ画像１１３の変換を行うと判定する。また、判定部１４２は、ステップＳ１１３において、編集管理情報１１４によりＳＤＲ画像１１３の編集を許可しないことが示されていると判定した場合は、ＳＤＲ画像１１３の変換を行わないと判定する。なお、判定部１４２は、編集管理情報１１４によりＳＤＲ画像１１３の編集を許可することが示されている場合であっても、ＳＤＲ画像１１３の変換を行わないと判定してもよい。
【００８５】
ここで、編集管理情報１１４の構成例を説明する。
【００８６】
図７は、実施の形態１における編集管理情報１１４の構成の一例を模式的に示す図である。
【００８７】
図７に例示するように、編集管理情報１１４は、例えば、変換禁止フラグ１１４Ａと、変換情報１１４Ｂと、を含む。変換禁止フラグ１１４Ａは、例えば、ＨＤＲ画像１１２から変換ＳＤＲ画像１３２への変換を禁止するか、許可するか、を示す。例えば、ステップＳ１１３では、判定部１４２において、この変換禁止フラグ１１４Ａに基づき、ＨＤＲ画像１１２から変換ＳＤＲ画像１３２への変換を行うか否か、が判定される。
【００８８】
なお、上述の説明では、ステップＳ１１３の判定が、編集管理情報１１４にのみ基づいて判定部１４２で行われる動作例を示したが、本開示は、何らこの動作例に限定されない。例えば、判定部１４２において、まず、他の要因（例えば、ＨＤＲ画像１１２の特性、ＳＤＲ画像１１３の特性、表示装置１０４の特性、またはこれらの組み合わせ）に基づき、ＨＤＲ画像１１２から変換ＳＤＲ画像１３２への変換を行うか否かが判定され、当該変換を行うと判定された場合は、編集管理情報１１４に基づき、当該変換の禁止または許可が判定されてもよい。または、編集管理情報１１４に基づき当該変換を行うと判定された後で、他の要因に基づき当該変換を行うか否かの判定が行われてもよい。
【００８９】
図６に戻りフローチャートの説明を続ける。
【００９０】
ステップＳ１１３において、ＨＤＲ画像１１２から変換ＳＤＲ画像１３２への変換が許可されている（ＨＤＲ画像１１２から変換ＳＤＲ画像１３２を生成することが許可されている）と判定部１４２が判定した場合（ステップＳ１１３でＹｅｓ）、編集部１４３は、ＨＤＲ画像１１２から変換ＳＤＲ画像１３２を生成する（ステップＳ１１４）。
【００９１】
そして、再生部１４４は、生成された変換ＳＤＲ画像１３２を再生する（ステップＳ１１５）。
【００９２】
ステップＳ１１３において、ＨＤＲ画像１１２から変換ＳＤＲ画像１３２への変換が許可されていない（ＨＤＲ画像１１２から変換ＳＤＲ画像１３２を生成することが許可されていない）と判定部１４２が判定した場合（ステップＳ１１３でＮｏ）、再生部１４４は、ＨＤＲ画像１１２から変換ＳＤＲ画像１３２への変換は行わず、ＳＤＲ画像１１３を再生する（ステップＳ１１６）。
【００９３】
そして、ステップＳ１１２、ステップＳ１１５、またはステップＳ１１６で再生された画像が表示装置１０４に表示される。
【００９４】
［１−３．効果等］
以上のように、本実施の形態において、編集方法は、同一シーンを示す静止画である高品位画像および第１低品位画像と、高品位画像および第１低品位画像のうちの少なくとも一方の画像の編集を許可するか否かを示す編集管理情報とを取得する取得ステップと、編集管理情報により当該少なくとも一方の画像の編集を許可することが示されている場合は、当該少なくとも一方の画像を編集する編集ステップと、を含み、編集管理情報により当該少なくとも一方の画像の編集を許可しないことが示されている場合は、当該少なくとも一方の画像を編集しない。
【００９５】
なお、ＨＤＲ画像１１２は高品位画像の一例である。ＳＤＲ画像１１３は第１低品位画像の一例である。編集管理情報１１４は編集管理情報の一例である。ステップＳ１０１は取得ステップの一例である。ステップＳ１０３は編集ステップの一例である。
【００９６】
例えば、実施の形態１に示した例では、当該編集方法は、同一シーンを示す静止画であるＨＤＲ画像１１２およびＳＤＲ画像１１３と、ＨＤＲ画像１１２およびＳＤＲ画像１１３のうちの少なくとも一方の画像の編集を許可するか否かを示す編集管理情報１１４とを取得するステップＳ１０１と、編集管理情報１１４により当該少なくとも一方の画像の編集を許可することが示されている場合は、当該少なくとも一方の画像を編集するステップＳ１０３と、を含み、編集管理情報１１４により当該少なくとも一方の画像の編集を許可しないことが示されている場合は、当該少なくとも一方の画像を編集しない。
【００９７】
この編集方法によれば、編集管理情報１１４により、編集装置１０５においてＨＤＲ画像１１２およびＳＤＲ画像１１３のうちの少なくとも一方の画像の編集の可否を制御できる。これにより、編集管理情報１１４に基づく画像をテレビ等の表示装置１０４で表示することが可能となる。すなわち、画像の生成者または編集者の意図を反映した画像を表示装置１０４に表示できる。
【００９８】
当該編集方法において、編集管理情報は、編集として高品位画像から第２低品位画像を生成することを許可するか否かを示してもよい。編集ステップでは、編集管理情報により第２低品位画像の生成を許可することが示されている場合は、高品位画像から第２低品位画像を生成してもよい。
【００９９】
なお、変換ＳＤＲ画像１３２は第２低品位画像の一例である。ＨＤＲ画像１１２から変換ＳＤＲ画像１３２を生成する変換は、編集の一例である。
【０１００】
例えば、実施の形態１に示した例では、当該編集方法において、編集管理情報１１４は、編集としてＨＤＲ画像１１２から変換ＳＤＲ画像１３２を生成することを許可するか否かを示してもよい。また、ステップＳ１０３では、編集管理情報１１４により変換ＳＤＲ画像１３２の生成を許可することが示されている場合は、ＨＤＲ画像１１２から変換ＳＤＲ画像１３２を生成する。
【０１０１】
この編集方法によれば、編集管理情報１１４により、編集装置１０５においてＨＤＲ画像１１２から変換ＳＤＲ画像１３２を生成することの可否を制御することが可能となる。
【０１０２】
本実施の形態において、生成方法は、ＲＡＷデータを取得する取得ステップと、ＲＡＷデータから、同一シーンを示す静止画である高品位画像および第１低品位画像を生成する画像生成ステップと、高品位画像および第１低品位画像のうちの少なくとも一方の画像の編集を許可するか否かを示す編集管理情報を生成する生成ステップと、高品位画像と第１低品位画像と編集管理情報とを出力する出力ステップと、を含む。
【０１０３】
なお、図１０に示すステップＳ１３１は取得ステップの一例である。ステップＳ１３１およびステップＳ１３２は画像生成ステップの一例である。ステップＳ１３３は生成ステップの一例である。ステップＳ１３４は出力ステップの一例である。ＲＡＷデータ１３１はＲＡＷデータの一例である。
【０１０４】
例えば、実施の形態に示した例では、当該生成方法は、ＲＡＷデータ１３１を取得するステップＳ１３１と、ＲＡＷデータ１３１から、同一シーンを示す静止画であるＨＤＲ画像１１２およびＳＤＲ画像１１３を生成するステップＳ１３１およびステップＳ１３２と、ＨＤＲ画像１１２およびＳＤＲ画像１１３のうちの少なくとも一方の画像の編集を許可するか否かを示す編集管理情報１１４を生成するステップＳ１３３と、ＨＤＲ画像１１２とＳＤＲ画像１１３と編集管理情報１１４とを出力するステップＳ１３４と、を含む。
【０１０５】
この生成方法によれば、編集管理情報１１４により、編集装置１０５においてＨＤＲ画像１１２およびＳＤＲ画像１１３のうちの少なくとも一方の画像の編集の可否を制御できる。これにより、編集管理情報１１４に基づく画像をテレビ等の表示装置１０４で表示することが可能となる。すなわち、画像の生成者または編集者の意図を反映した画像を表示装置１０４に表示できる。
【０１０６】
当該生成方法において、編集管理情報は、編集として高品位画像から第２低品位画像を生成することを許可するか否かを示してもよい。
【０１０７】
例えば、実施の形態１に示した例では、編集管理情報１１４は、編集としてＨＤＲ画像１１２から変換ＳＤＲ画像１３２を生成することを許可するか否かを示してもよい。
【０１０８】
この生成方法によれば、編集管理情報１１４により、編集装置１０５においてＨＤＲ画像１１２から変換ＳＤＲ画像１３２を生成することの可否を制御することが可能となる。
【０１０９】
本実施の形態において、編集装置は、同一シーンを示す静止画である高品位画像および第１低品位画像と、高品位画像および第１低品位画像のうちの少なくとも一方の画像の編集を許可するか否かを示す編集管理情報とを取得する取得部と、編集管理情報により当該少なくとも一方の画像の編集を許可することが示されている場合は、当該少なくとも一方の画像を編集する編集部と、を備え、編集装置は、編集管理情報により当該少なくとも一方の画像の編集を許可しないことが示されている場合は、当該少なくとも一方の画像を編集しない。
【０１１０】
なお、編集装置１０５は編集装置の一例である。取得部１４１は取得部の一例である。編集部１４３は編集部の一例である。
【０１１１】
例えば、実施の形態１に示した例では、編集装置１０５は、同一シーンを示す静止画であるＨＤＲ画像１１２およびＳＤＲ画像１１３と、ＨＤＲ画像１１２およびＳＤＲ画像１１３のうちの少なくとも一方の画像の編集を許可するか否かを示す編集管理情報１１４とを取得する取得部１４１と、編集管理情報１１４により当該少なくとも一方の画像の編集を許可することが示されている場合は、当該少なくとも一方の画像を編集する編集部１４３と、を備え、編集装置１０５は、編集管理情報により当該少なくとも一方の画像の編集を許可しないことが示されている場合は、当該少なくとも一方の画像を編集しない。
【０１１２】
この編集装置１０５によれば、編集管理情報１１４により、編集装置１０５においてＨＤＲ画像１１２およびＳＤＲ画像１１３のうちの少なくとも一方の画像の編集の可否を制御できる。これにより、編集管理情報１１４に基づく画像をテレビ等の表示装置１０４で表示することが可能となる。すなわち、画像の生成者または編集者の意図を反映した画像を表示装置１０４に表示できる。
【０１１３】
本実施の形態において、生成装置は、ＲＡＷデータを取得する取得部と、ＲＡＷデータから、同一シーンを示す静止画である高品位画像および第１低品位画像を生成する画像生成部と、高品位画像および第１低品位画像のうちの少なくとも一方の画像の編集を許可するか否かを示す編集管理情報を生成する生成部と、高品位画像と第１低品位画像と編集管理情報とを出力する出力部と、を備える。
【０１１４】
なお、生成装置１０１は生成装置の一例である。ＲＡＷ画像取得部１２１は取得部の一例である。ＨＤＲ画像生成部１２２は高品位画像を生成する画像生成部の一例である。ＳＤＲ画像生成部１２３は第１低品位画像を生成する画像生成部の一例である。編集管理部１２５は生成部の一例である。出力部１２４は出力部の一例である。
【０１１５】
例えば、実施の形態１に示した例では、生成装置１０１は、ＲＡＷデータ１３１を取得するＲＡＷ画像取得部１２１と、同一シーンを示す静止画であるＨＤＲ画像１１２およびＳＤＲ画像１１３を生成する画像生成部（ＲＡＷデータ１３１からＨＤＲ画像１１２を生成するＨＤＲ画像生成部１２２およびＲＡＷデータ１３１からＳＤＲ画像１１３を生成するＳＤＲ画像生成部１２３）と、ＨＤＲ画像１１２およびＳＤＲ画像１１３のうちの少なくとも一方の画像の編集を許可するか否かを示す編集管理情報１１４を生成する編集管理部１２５と、ＨＤＲ画像１１２とＳＤＲ画像１１３と編集管理情報１１４とを出力する出力部１２４と、を備える。
【０１１６】
この生成装置１０１によれば、編集管理情報１１４により、編集装置１０５においてＨＤＲ画像１１２およびＳＤＲ画像１１３のうちの少なくとも一方の画像の編集の可否を制御できる。これにより、編集管理情報１１４に基づく画像をテレビ等の表示装置１０４で表示することが可能となる。すなわち、画像の生成者または編集者の意図を反映した画像を表示装置１０４で表示できる。
【０１１７】
本実施の形態における再生システムでは、編集管理情報１１４により、編集装置１０５においてＨＤＲ画像１１２およびＳＤＲ画像１１３のうちの少なくも一方の編集（例えば、ＨＤＲ画像１１２から変換ＳＤＲ画像１３２への変換）を制御できる。例えば、編集管理情報１１４によりＨＤＲ画像１１２から変換ＳＤＲ画像１３２への変換が禁止されることで、表示装置１０４がＨＤＲ画像の再生に対応していない場合は、表示装置１０４でＳＤＲ画像１１３が常に再生されるように、再生装置１０３を制御できる。これにより、画像の生成者または編集者の意図を反映した画像が再生装置１０３で再生されて、表示装置１０４で表示される。
【０１１８】
本実施の形態において、記録媒体は、同一シーンを示す静止画である高品位画像および第１低品位画像と、高品位画像および第１低品位画像のうちの少なくとも一方の画像の編集を許可するか否かを示す編集管理情報と、が記録されている。
【０１１９】
なお、記録媒体１０２、１０２Ａ、１０２Ｂは、それぞれが記録媒体の一例である。
【０１２０】
例えば、実施の形態１に示した例では、記録媒体１０２には、同一シーンを示す静止画であるＨＤＲ画像１１２およびＳＤＲ画像１１３と、ＨＤＲ画像１１２およびＳＤＲ画像１１３のうちの少なくとも一方の画像の編集を許可するか否かを示す編集管理情報１１４と、が記録されている。または、記録媒体１０２Ａには、ＨＤＲ画像１１２および編集管理情報１１４が記録され、記録媒体１０２Ｂには、ＳＤＲ画像１１３が記録されている。
【０１２１】
この記録媒体１０２（１０２Ａ）に記録された編集管理情報１１４により、編集装置１０５において、記録媒体１０２（１０２Ａ、１０２Ｂ）に記録されたＨＤＲ画像１１２およびＳＤＲ画像１１３のうちの少なくとも一方の画像の編集の可否を制御できる。これにより、編集管理情報１１４に基づく画像をテレビ等の表示装置１０４で表示することが可能となる。すなわち、画像の生成者または編集者の意図を反映した画像を表示装置１０４に表示できる。
【０１２２】
（他の実施の形態）
以上のように、本出願において開示する技術の例示として、実施の形態１を説明した。しかしながら、本開示における技術は、これに限定されず、変更、置き換え、付加、省略等を行った実施の形態にも適用できる。また、上記実施の形態１で説明した各構成要素を組み合わせて、新たな実施の形態とすることも可能である。
【０１２３】
実施の形態１では、編集装置１０５が再生装置１０３の内部に含まれる構成例を説明したが、本開示は何らこの構成例に限定されない。編集装置１０５は、画像データの編集を行う装置であればよく、再生装置１０３の外部に設置されていてもよい。また、編集装置１０５は、編集した画像データを、記録媒体１０２（１０２Ａ、１０２Ｂ）に書き込んでもよく、外部に出力してもよい。編集装置１０５が編集した画像データを記録媒体１０２（１０２Ａ、１０２Ｂ）に書き込む場合、編集装置１０５は、記録媒体１０２（１０２Ｂ）内のＳＤＲ画像１１３に変換ＳＤＲ画像１３２を上書きしてもよいし、あるいは、記録媒体１０２（１０２Ｂ）内のＳＤＲ画像１１３とは別の領域に変換ＳＤＲ画像１３２を記録してもよい。
【０１２４】
なお、実施の形態１では、編集の一例として、編集部１４３がＨＤＲ画像１１２を変換ＳＤＲ画像１３２に変換する動作例を説明したが、本開示における編集は何らこの動作例に限定されない。編集部１４３は、ＨＤＲ画像１１２およびＳＤＲ画像１１３の少なくとも一方に対して変更を加えてもよく、あるいは、ＨＤＲ画像およびＳＤＲ画像の少なくとも一方に対して変換を行ってもよい。
【０１２５】
図８は、他の実施の形態における画像データ１１１Ｃの構成の一例を模式的に示す図である。例えば、図８に示すように、画像データ１１１Ｃは、図２Ａに示した画像データ１１１にさらにＲａｗデータ１１５を含んだ構成であってもよい。
【０１２６】
図８に示すように画像データ１１１Ｃが構成されている場合、編集部１４３は、Ｒａｗデータ１１５から、ＨＤＲ画像またはＳＤＲ画像を生成してもよい。
【０１２７】
また、この構成例の場合には、編集管理情報１１４は、ＨＤＲ画像１１２の編集を許可するか禁止するかを示すフラグと、ＳＤＲ画像１１３の編集を許可するか禁止するかを示すフラグと、を個別に含んでもよい。あるいは、編集管理情報１１４は、ＨＤＲ画像１１２およびＳＤＲ画像１１３の両方の編集を許可するか禁止するかを示す単一のフラグを含んでもよい。また、これらのフラグは、編集後のＨＤＲ画像１１２またはＳＤＲ画像１１３または変換ＳＤＲ画像１３２を、画像データ１１１Ｃに含まれていた元のＨＤＲ画像１１２またはＳＤＲ画像１１３へ上書きすること（すなわち、元のＨＤＲ画像１１２またはＳＤＲ画像１１３を画像データ１１１Ｃから削除すること）を禁止するか否かを示していてもよい。また、これらのフラグは、編集後のＨＤＲ画像１１２またはＳＤＲ画像１１３または変換ＳＤＲ画像１３２を、画像データ１１１Ｃに追加することを禁止するか否かを示していてもよい。また、これらのフラグは、編集後のＨＤＲ画像１１２またはＳＤＲ画像１１３または変換ＳＤＲ画像１３２を、元のＨＤＲ画像１１２またはＳＤＲ画像１１３へ上書きすること（すなわち、元のＨＤＲ画像１１２またはＳＤＲ画像１１３の削除）、および、編集後のＨＤＲ画像１１２またはＳＤＲ画像または変換ＳＤＲ画像１３２を画像データ１１１Ｃに追加することの両方を禁止するか否かを示していてもよい。また、これらのフラグは、画角の変換または輝度の変換等の、一部の処理のみを禁止することを示していてもよく、あるいは、エフェクトを禁止してもよい。
【０１２８】
なお、編集部１４３は、編集管理情報１１４に含まれる変換情報１１４Ｂを用いて上述した変換処理等の編集処理を行う。実施の形態１では、変換情報１１４Ｂが編集管理情報１１４に含まれる例を示したが、変換情報１１４Ｂはヘッダ１１２Ａまたはヘッダ１１３Ａに含まれてもよい。また、変換情報１１４Ｂは、以下に示す複数の情報のうちの少なくとも１つの情報を含めばよい。
【０１２９】
例えば、ＨＤＲ画像１１２のヘッダ１１２Ａに含まれるＨＤＲ画像情報は、ＨＤＲ画像１１２の輝度範囲（ダイナミックレンジ）に関する情報を含んでもよい。具体的には、ＨＤＲ画像情報は、画像中の輝度を示す情報（最高輝度または中心輝度、等）、または輝度範囲（ダイナミックレンジ）を含んでもよい。
【０１３０】
また、ＨＤＲ画像情報は、ＨＤＲ画像１１２を生成するための撮影に関する情報またはＨＤＲ画像１１２の生成に関する情報を含んでもよい。ＨＤＲ画像情報は、例えば、撮影が行われたときの撮影モード（ポートレート、花火、または夜景、等）、優先輝度範囲、ＨＤＲ画像１１２の画角、または撮影が行われたときの撮影パラメータ、等を示す情報を含んでもよい。撮影パラメータとは、シャッター速度、絞り（Ｆ値）、ＩＳＯ感度、測光モード、フラッシュの有無、露光補正ステップ値、および焦点距離、等である。なお、ＨＤＲ画像情報は、撮影日時、撮影機器のメーカー名、撮影機器のモデル名、画像全体の解像度、水平および垂直方向の単位あたりの解像度、撮影方向、または色空間を示す情報、を含んでもよい。
【０１３１】
なお、優先輝度範囲とは、ＨＤＲ画像１１２において優先されている輝度範囲（より多くのビットが割り当てられている輝度範囲）を示す。優先輝度範囲は、例えば、高輝度領域を優先した絵作りが行われた写真であるか、低輝度領域を優先した絵作りが行われた写真であるか、等を示すフラグである。なお、この情報は、優先する輝度範囲（高輝度または低輝度）を示す情報であってもよい。また、この情報は、ＨＤＲ画像１１２の生成に用いられたパラメータ（ＨＤＲ−ＥＯＴＦ、等）であってもよい。また、この情報は、撮影モードに応じて自動的に決定されてもよく、あるいは、画像編集時等にユーザにより設定されてもよい。
【０１３２】
ＳＤＲ画像１１３のヘッダ１１２Ａに含まれるＳＤＲ画像情報は、ＳＤＲ画像１１３に関する情報である。ＳＤＲ画像情報は、例えば、ＳＤＲ画像１１３の画角、ＳＤＲ画像１１３の生成に用いられた変換パラメータ（ＳＤＲ−ＥＯＴＦ、等）、または、ＳＤＲ画像１１３を生成した装置を示す生成装置情報、等を含んでもよい。
【０１３３】
例えば、編集部１４３は、ＨＤＲ画像１１２から変換ＳＤＲ画像１３２への変換処理において、ＨＤＲ画像情報に含まれる優先輝度範囲を用いてもよい。これにより、編集装置１０５は、ＨＤＲ画像１１２の生成者または編集者の意図を反映した変換ＳＤＲ画像１３２を生成することができる。
【０１３４】
次に、再生装置１０３の他の動作例について説明する。
【０１３５】
再生装置１０３の編集装置１０５は、記録媒体１０２に記録されている画像データ１１１を、再生装置１０３の記憶部（図示せず、例えば、内臓ＨＤＤ（Ｈａｒｄ  Ｄｉｓｋ  Ｄｒｉｖｅ）、等）に取り込む場合がある。また、図８に例示したように、画像データ１１１に、さらに、Ｒａｗデータ１１５等の相対的に容量が大きいデータが含まれて構成された画像データ１１１Ｃが記録媒体１０２に記録されている場合がある。このような場合に、再生装置１０３が記録媒体１０２内の全てのデータを記憶部に保存すると、記憶部の記憶容量が圧迫されるおそれがある。さらに、再生装置１０３がレコーダの場合は、再生装置１０３でＲａｗデータ１１５を扱えないことがある。そのような再生装置１０３が、記録媒体１０２内の全てのデータを記憶部に保存した場合、記憶部の記憶容量の一部が、使用できないデータの保存に消費される可能性がある。
【０１３６】
このような問題に対応するために、再生装置１０３は、図９に示す処理を行ってもよい。図９は、他の実施の形態における再生装置１０３によるデータ保存処理の一例を示すフローチャートである。
【０１３７】
まず、再生装置１０３の判定部１４２は、画像データ１１１（１１１Ｃ）に含まれる全てのデータを利用可能か否かを判定する（ステップＳ１２１）。
【０１３８】
ステップＳ１２１において、画像データ１１１（１１１Ｃ）に含まれる全てのデータを利用可能であると判定部１４２が判定した場合（ステップＳ１２１でＹｅｓ）、再生装置１０３の編集装置１０５は、画像データ１１１（１１１Ｃ）に含まれる全てのデータを記憶部に保存する（ステップＳ１２２）。例えば、図２Ａまたは図２Ｂに示す画像データ１１１を再生装置１０３が受信し、その画像データ１１１の全てのデータを利用可能であると判定部１４２が判定した場合、再生装置１０３の編集装置１０５は、図２Ａまたは図２Ｂに示す画像データ１１１の全てを記憶部に保存する。
【０１３９】
ステップＳ１２１において、画像データ１１１（１１１Ｃ）に含まれる一部のデータは利用不可であると判定部１４２が判定した場合（ステップＳ１２１でＮｏ）、再生装置１０３の編集装置１０５は、画像データ１１１（１１１Ｃ）に含まれるデータのうち利用可能なデータのみを記憶部に保存する（ステップＳ１２３）。例えば、図８に示す画像データ１１１Ｃを再生装置１０３が受信し、その画像データ１１１ＣのうちのＲａｗデータ１１５は利用不可であると判定部１４２が判定した場合、再生装置１０３の編集装置１０５は、画像データ１１１Ｃのうち、ＨＤＲ画像１１２、ＳＤＲ画像１１３、および編集管理情報１１４を記憶部に保存し、Ｒａｗデータ１１５は保存しない。
【０１４０】
なお、上述の説明では、再生装置１０３が扱えないデータがＲａｗデータ１１５である動作例を示したが、本開示は何らこの動作例に限定されない。再生装置１０３が扱えないデータはＲａｗデータ１１５以外のデータであってもよく、その場合、編集装置１０５は、記憶部に保存するデータを、その扱えないデータに応じて選択すればよい。
【０１４１】
次に、生成装置１０１の動作例について説明する。
【０１４２】
図１０は、実施の形態における生成装置１０１による画像データ生成処理の一例を示すフローチャートである。
【０１４３】
生成装置１０１は、ＨＤＲ画像１１２を生成（取得）する（ステップＳ１３１）。
【０１４４】
ステップＳ１３１では、ＲＡＷ画像取得部１２１が、静止画であるＲＡＷデータ１３１を取得する。ＲＡＷデータ１３１は、例えば、撮影装置である生成装置１０１によって撮影が行われることで、取得されてもよい。そして、ＨＤＲ画像生成部１２２は、ＲＡＷデータ１３１に色補正等を行うことで、ＨＤＲ画像１１２を生成（取得）する。
【０１４５】
生成装置１０１は、ＳＤＲ画像１１３を生成（取得）する（ステップＳ１３２）。
【０１４６】
ステップＳ１３２では、ＳＤＲ画像生成部１２３は、ＲＡＷデータ１３１からＳＤＲ画像１１３を生成する。
【０１４７】
編集管理部１２５は、上述した編集管理情報１１４を生成する（ステップＳ１３３）。画像データ１１１の編集が許可されるか禁止されるかは、例えば、ユーザにより指定される。また、編集管理情報１１４に含まれる変換情報１１４Ｂは、ＲＡＷ画像取得部１２１、ＨＤＲ画像生成部１２２、およびＳＤＲ画像生成部１２３の少なくとも１つにより生成される。
【０１４８】
出力部１２４は、ＨＤＲ画像１１２とＳＤＲ画像１１３と編集管理情報１１４とを出力する（ステップＳ１３４）。
【０１４９】
以上により、生成装置１０１は、編集管理情報１１４を含む画像データ１１１を生成する。これにより、ＨＤＲ画像１１２またはＳＤＲ画像１１３の編集が制御される。
【０１５０】
実施の形態１では、生成装置１０１が撮影装置である構成例を説明したが、本開示は何らこの構成例に限定されない。生成装置１０１は、他の撮影装置等で得られた画像データを取得し、当該画像データを編集して出力する装置であってもよい。この構成例の場合、生成装置１０１は、ＨＤＲ画像、ＳＤＲ画像、およびＲａｗデータのうちの少なくとも１つを取得し、取得したデータに基づきＨＤＲ画像およびＳＤＲ画像を生成または編集するとともに、編集管理情報１１４を生成してもよい。
【０１５１】
実施の形態１では、ＨＤＲ画像とＳＤＲ画像とが用いられる構成例について説明したが、本開示はこの構成例に限定されない。例えば、互いに関連付けられた高品位画像と低品位画像とに対して、取得した第１低品位画像をそのまま再生するか、高品位画像から第２低品位画像を生成し、当該第２低品位画像を再生するか、を切り替える場合にも、実施の形態１に開示した手法と同様の手法を適用できる。
【０１５２】
なお、本開示において、高品位画像と低品位画像とは、互いに同一のシーン（内容）を示す画像である。また、実施の形態１では、高品位画像と低品位画像との一例として、ＨＤＲ画像とＳＤＲ画像とを示したが、本開示は何らこれに限定されない。高品位画像と低品位画像とは、例えば、ＨＤＲ画像およびＳＤＲ画像のように輝度範囲（ダイナミックレンジ）が互いに異なる画像であってもよい。また、高品位画像と低品位画像とは、例えば、解像度が互いに異なる画像であってもよく、例えば、ＵＨＤ（３８４０×２１６０画素）の画像とＨＤ（１９２０×１０８０画素）の画像とであってもよい。また、高品位画像と低品位画像とは、例えば、ビット深度が互いに異なる画像であってもよく、例えば、１０ビットの画像と８ビットの画像とであってもよい。また、高品位画像と低品位画像とは、例えば、色解像度が互いに異なる画像であってもよく、例えば、４：４：４フォーマットの画像と４：２：０フォーマットの画像とであってもよい。また、高品位画像と低品位画像とは、例えば、色域の広さ（色空間）が互いに異なる画像であってもよく、例えば、Ｒｅｃ．ＩＴＵ＿Ｒ  ＢＴ２０２０の画像とＲｅｃ．ＩＴＵ＿Ｒ  ＢＴ７０９の画像とであってもよく、あるいは、ＡｄｏｂｅＲＧＢの画像とｓＲＧＢの画像とであってもよい。また、高品位画像と低品位画像とは、これらのうちの複数が組み合わされた画像であってもよい。なお、ビット深度とは、１ピクセル（画素）を構成する量子化ビット数である。
【０１５３】
なお、再生装置１０３と表示装置１０４とは、互いに有線接続されていてもよく、または、互いに無線接続されていてもよい。
【０１５４】
なお、実施の形態１で説明した編集装置１０５、再生装置１０３、または生成装置１０１に含まれる各処理部は、集積回路であるＬＳＩ（Ｌａｒｇｅ  Ｓｃａｌｅ  Ｉｎｔｅｇｒａｔｉｏｎ）として実現されてもよい。これらの処理部は個別に１チップのＩＣ（Ｉｎｔｅｇｒａｔｅｄ  Ｃｉｒｃｕｉｔ）化がなされてもよいし、一部または全ての処理部を含むように１チップのＩＣ化がなされてもよい。
【０１５５】
また、各処理部は、ＬＳＩまたはＩＣに限定されるものではなく、専用回路または汎用プロセッサで実現されてもよい。あるいは、回路構成をプログラムすることが可能なＦＰＧＡ（Ｆｉｅｌｄ  Ｐｒｏｇｒａｍｍａｂｌｅ  Ｇａｔｅ  Ａｒｒａｙ）、または、ＬＳＩ内部の回路セルの接続や設定を再構成可能なリコンフィギュラブル・プロセッサで実現されてもよい。
【０１５６】
また、上記の実施の形態において、各構成要素は、専用のハードウェアで構成されてもよく、あるいは、各構成要素に適したソフトウェアプログラムをプロセッサが実行することによって実現されてもよい。各構成要素は、ＣＰＵ（Ｃｅｎｔｒａｌ  Ｐｒｏｃｅｓｓｉｎｇ  Ｕｎｉｔ）またはプロセッサ等のプログラム実行部が、ハードディスクまたは半導体メモリ等の記録媒体に記録されたソフトウェアプログラムを読み出して実行することによって実現されてもよい。
【０１５７】
また、実施の形態で図面に示したブロック図における機能ブロックの分割は、単なる一例に過ぎない。例えば、複数の機能ブロックを１つの機能ブロックとして実現したり、あるいは、１つの機能ブロックを複数に分割したり、または、一部の機能を他の機能ブロックに移してもよい。また、複数の機能ブロックの機能を、単一のハードウェアまたはソフトウェアが、並列に処理してもよく、または時分割に処理してもよい。
【０１５８】
また、実施の形態で図面に示したフローチャートにおける各ステップが実行される順序は、単なる一例に過ぎず、実施の形態で説明した順序とは異なる順序で各ステップが実行されてもよい。また、上記ステップの一部が、他のステップと同時に（すなわち、並列に）実行されてもよい。
【０１５９】
本開示では、１つまたは複数の態様に係る編集装置、再生装置および生成装置について、実施の形態に基づいて説明したが、本開示は、この実施の形態に限定されるものではない。本開示の趣旨を逸脱しない限り、当業者が思いつく各種変形を本実施の形態に施したものや、異なる実施の形態における構成要素を組み合わせて構築される形態も、１つまたは複数の様態の範囲内に含まれてもよい。
【０１６０】
なお、添付図面および詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【０１６１】
また、上述の実施の形態は、本開示における技術を例示するためのものであるから、特許請求の範囲またはその均等の範囲において種々の変更、置き換え、付加、省略などを行うことができる。
【産業上の利用可能性】
【０１６２】
本開示は、レコーダ等の再生装置、および、カメラまたは編集装置等の生成装置に適用できる。
【符号の説明】
【０１６３】
１００Ａ，１００Ｂ    再生システム
１０１    生成装置
１０２，１０２Ａ，１０２Ｂ    記録媒体
１０３    再生装置
１０４    表示装置
１０５    編集装置
１１１，１１１Ａ，１１１Ｂ，１１１Ｃ    画像データ
１１２    ＨＤＲ画像
１１２Ａ，１１３Ａ    ヘッダ
１１３    ＳＤＲ画像
１１４    編集管理情報
１１４Ａ    変換禁止フラグ
１１４Ｂ    変換情報
１１５    Ｒａｗデータ
１２１    ＲＡＷ画像取得部
１２２    ＨＤＲ画像生成部
１２３    ＳＤＲ画像生成部
１２４    出力部
１２５    編集管理部
１３１    ＲＡＷデータ
１３２    変換ＳＤＲ画像
１４１    取得部
１４２    判定部
１４３    編集部
１４４    再生部
【図１Ａ】
2018062061.tif 000003
【図１Ｂ】
2018062061.tif 000004
【図２Ａ】
2018062061.tif 000005
【図２Ｂ】
2018062061.tif 000006
【図３】
2018062061.tif 000007
【図４】
2018062061.tif 000008
【図５】
2018062061.tif 000009
【図６】
2018062061.tif 000010
【図７】
2018062061.tif 000011
【図８】
2018062061.tif 000012
【図９】
2018062061.tif 000013
【図１０】
2018062061.tif 000014
【国際調査報告】
2018062061.tif 000015
2018062061.tif 000016
2018062061.tif 000017
2018062061.tif 000018